(57)【要約】【課題】上記従来の車両用携帯電話機保持具においては、携帯電話機話機の機種毎、又、折り畳式の携帯電話機においては、折り畳状態若しくは開いた状態に応じた外形寸法に合わせて、保持具を調整する作業が大変であり、簡単な操作で、サイズの異なる携帯電話機に対応できる保持具が望まれている。【解決手段】本発明の車両用携帯電話機保持具は、表面に携帯電話機の下端を支持する受部と携帯電話機の裏面を支持する壁部より構成される載置部を有し、裏面に車両との取り付け手段を有する本体と、前記本体の載置部に載置された携帯電話機を保持する保持部材とよりなり、前記保持部材は略コ字形に構成される枠部と、前記枠部の略中央部から上方に向かって延在する左右一対の立片を有し、前記枠部の両側部が前記本体の両側面に位置調整自在に固定される固定手段を有する事を特徴とする。【選択図】図１
2006044353.tif 000002
【特許請求の範囲】
【請求項１】
表面に携帯電話機の下端を支持する受部と携帯電話機の裏面を支持する壁部より構成される載置部を有し、裏面に車両との取り付け手段を有する本体と、前記本体の載置部に載置された携帯電話機を保持する保持部材とよりなり、前記保持部材は略コ字形に構成される枠部と、前記枠部の略中央部から上方に向かって延在する左右一対の立片を有し、前記枠部の両側部が前記本体の両側面に位置調整自在に固定される固定手段を有する事を特徴とする車両用携帯電話機保持具。
【請求項２】
前記固定手段は、前記枠部の両側部に設けたラチェット歯部と、前記本体の両側面に設けられ前記枠部の両側部を挿通するように構成された挿通部材と、前記挿通部材内若しくは前記挿通部材の付近に設けられ前記枠部の両側部に設けたラチェット歯部と係合するように構成された係止部とより成る事を特徴とする請求項1記載の車両用携帯電話機保持具。
【請求項３】
前記保持部材の左右一対の立片は上方に向けて開拡すると共に、前記枠部と一端が一体に構成される左右一対の第一の片と、一端に携帯電話機の側面を保持可能な折曲部を有する左右一対の第二の片より構成され、前記第一の片の他端と前記第二の片の他端の何れか一方にラチェット歯部を構成すると共に前記第一の片の他端若しくは前記第二の片の他端の何れか他方には前記ラチェット歯部を挿入する挿入部材と、前記ラチェット歯と係合する係止部を有する事を特徴とする請求項1又は２記載の車両用携帯電話機保持具。
【請求項４】
前記本体の受部が自動車の椅子の座部を模した形態をなし、前記本体の立壁部が自動車の椅子の背もたれ部を模した形態をなし、前記保持部材が自動車の椅子の安全ベルトを模した形態を有する事を特徴とする請求項1、２又は３記載の車両用携帯電話機保持具。
【発明の詳細な説明】
【技術分野】
【０００１】
本発明は車両用の携帯電話機保持具に関するものである。
【背景技術】
【０００２】
特許文献１には、保持本体と、保持本体の両側に配されており、保持本体に対して横方向に摺動自在に連結されたアーム支持部と、保持本体に対するアーム支持部の横方向位置を固定するアーム支持部用固定手段と、アーム支持部に対して前後方向に摺動自在に連結されたアームと、アーム支持部に対するアームの前後方向位置を固定するアーム用固定手段とを具備している、自動車の所定位置に取り付けする事の出来る携帯電話機の保持装置が開示されている。
【０００３】
特許文献２には、自動車室内の運転席前方位置に取付けられるホルダと、このホルダ上に携帯電話機を挟んで支持するためのホルダへ回動自在に取付けられた第１及び第２固定部材とを備えるとともに、第１個低部材は携帯電話機をホルダに押し付ける方向へばねにより回動付勢され、第２固定部材はホルダとの狭持間隔を調整自在であり、単一のホルダ及び固定部材により厚さを異にする複数種類の携帯電話機を固定可能とした技術が開示されている。
【０００４】
【特許文献１】特開平７−２０３５２５号公報
【特許文献２】実開平４−１３６９６１号公報
【発明の開示】
【発明が解決しようとする課題】
【０００５】
しかしながら、上記特許文献１に記載の保持装置において携帯電話機を固定する際は、まず携帯電話機の幅に合わせて、横方向にアーム支持部を摺動させた後、アーム支持固定手段により保持本体に対してアーム支持部の横方向位置を固定し、次に携帯電話機の厚みに合わせて、アーム支持部に対して前後方向にアームを摺動させ、アーム用固定手段によりアーム支持部に対するアームの前後方向位置を固定する必要があり、携帯電話機の機種毎、又、折り畳式の携帯電話機においては、折り畳状態若しくは開いた状態に応じた外形寸法に合わせて、前記各固定手段を操作する必要があり、更に携帯電話機を持ち運ぶ場合には、車の乗り降りの際毎に、前記各固定手段を操作して携帯電話機を前記保持装置から着脱する必要であり、部品構成も複雑であった。よって操作性が良く、簡単な操作で、サイズの異なる携帯電話機に対応できる保持具が望まれている。
【０００６】
又、上記特許文献２に記載の保持具（ホルダ）においては、第１及び第２固定部材は、夫々携帯電話機の厚みに対しては対応が可能であるが、第１及び第２固定部材の何れも携帯電話の幅に対しては何ら調整手段を有さず、様々な携帯電話機の機種に対する汎用性を持たせるためには、上記第１及び第２固定部材の左右のアーム部間寸法を広く設定する必要があるため、幅の狭い携帯電話機においては、車の揺れにより携帯電話機が左右に移動し、携帯電話機にキズが付き、更にホルダから携帯電話機が外れる事があった。よって簡単な操作で幅方向についても調整できる保持具が望まれている。
【０００７】
更に、前記従来の技術においては携帯電話機の保持具は、外観的に車両の内装になじまないため、前記保持具の普及が十分でなく、結果として運転時に携帯電話機を手に持って使用する事による事故が発生につながっていた。よって携帯電話機の保持具の使用を促進するためには、携帯電話機の保持具を、車両のダッシュボードや、エアコン吹き出し口に装着した際に、携帯電話機の保持の有無に係わらず、視覚的喜びを感じる物が必要であった。
【０００８】
本発明は、上記した課題を解決すべくなされたものであり、この車両用携帯電話機保持具は簡単な操作で携帯電話機の厚さ方向及び、幅方向に対する調整が可能であり、更に前記厚さ方向及び、幅方向に対する調整をしない状態においても、携帯電話機の厚さ方向及び、幅方向に対してある程度の寸法の差異に追従して、携帯電話機をしっかり固定する事が出来、その構造も非常に簡単で、コスト的にも利点の有るものである。又、外観を単に自動車の椅子と、安全ベルトを模したデザインに、しただけでなく、その部品毎の役割を、人の保持する機能を携帯電話機の保持する機能に置き換える事により視覚的喜びを感じ得る物として、携帯電話機保持具の普及を促進し、安全運転に貢献するものである。
【課題を解決するための手段】
【０００９】
本発明は、表面に携帯電話機の下端を支持する受部と携帯電話機の裏面を支持する壁部より構成される載置部を有し、裏面に車両との取り付け手段を有する本体と、前記本体の載置部に載置された携帯電話機を保持する保持部材とよりなり、前記保持部材は略コ字形に構成される枠部と、前記枠部の略中央部から上方に向かって延在する左右一対の立片を有し、前記枠部の両側部が前記本体の両側面に位置調整自在に固定される固定手段を有する事を特徴とする。
【００１０】
そして前記固定手段は、前記枠部の両側部に設けたラチェット歯部と、前記本体の両側面に設けられ前記枠部の両側部を挿通するように構成された挿通部材と、前記挿通部材内若しくは前記挿通部材の付近に設けられ前記枠部の両側部に設けたラチェット歯部と係合するように構成された係止部とより構成されると良い。
【００１１】
更に前記保持部材の左右一対の立片は上方に向けて開拡すると共に、前記枠部と一端が一体に構成される左右一対の第一の片と、一端に携帯電話機の側面を保持可能な折曲部を有する左右一対の第二の片より構成され、前記第一の片の他端と前記第二の片の他端の何れか一方にラチェット歯部を構成すると共に前記第一の片の他端若しくは前記第二の片の他端の何れか他方には前記ラチェット歯部を挿入する挿入部材と前記ラチェット歯と係合する係止部を有する様に構成されると良い。
【００１２】
又、前記本体の受部が自動車の椅子の座部を模した形態をなし、前記本体の立壁部が自動車の椅子の背もたれ部を模した形態をなし、前記保持部材が自動車の椅子の安全ベルトを模した形態を有する事を様に構成されていると良い。
【発明の効果】
【００１３】
本発明によれば、枠部の両端部が上記本体の両側面に対して位置調整自在に固定される固定手段を有するため、本体と保持部材の枠部間の保持スペースを携帯電話機の厚みに合わせて自在に調整する事が出来、又その固定手段の構成も、前記枠部の両側部に設けたラチェット歯部を、前記本体の両側面に設けた前記ラチェット歯と係合する構成であるため、その調整は工具等を必要とせず簡単に行う事が出来、又簡単な構造であるため、コスト的にも利点がある。
【００１４】
更に前記保持部材の左右一対の立片は上方に向けて開拡し、第一の片に対して第二の片が位置調節自在であるため、前記第二の片の左右の折曲部間の寸法を携帯電話機の幅に合わせて、自在に調整する事が出来、又その固定手段の構成も、前記第一の片の他端と前記第二の片の他端の何れか一方にラチェット歯部を構成すると共に前記第一の片の他端若しくは前記第二の片の他端の何れか他方には前記ラチェット歯部を挿入する挿入部材と、前記ラチェット歯と係合する係止部を有する構成であるため、その調整は工具等を必要とせず簡単に行う事が出来、又簡単な構造であるため、コスト的にも利点がある。
【００１５】
又、外観を単に自動車の椅子の安全ベルトに模したデザインに、しただけでなく、その部品毎の役割を、人の保持する機能を携帯電話機の保持する機能に置き換える事により視覚的喜びを感じ得る物として、携帯電話機保持具の普及を促進し、安全運転に貢献するものである。
【発明を実施するための最良の形態】
【００１６】
以下図面によって本発明の実施例を説明する。
【実施例１】
【００１７】
本発明の車両用携帯電話機保持具においては図１から図７に示すように、表面に携帯電話機３の下端を支持する受部１１と携帯電話機３の裏面を支持する壁部１２より構成される載置部を有する本体１と、前記本体１の載置部に載置された携帯電話機３を保持する保持部材２とよりなり、前記保持部材２は略コ字形に構成される枠部２１と、前記枠部２１の略中央部から上方に向かって延在する左右一対の立片２２を有し、更に前記枠部２１の両側部２３にはラチェット歯部２４が構成される。そして前記本体１の両側面１４には、前記枠部２１の両側部２３を挿通する挿通部材１５と前記ラチェット歯部２４と係合する係止部１６が配置される事により、保持部材２が前記本体１の両側面１４に対して位置調整自在となり、前記本体１の壁部１２と前記保持部材２の枠部２１との間に生じる保持スペースを携帯電話機３の厚みに合わせて自在に調整する事が出来る。又、前記枠部２１の両端部２５には、枠部２１に対して略垂直に立ち上がる突当面２６と、前記突当面２６の頂部から枠部２１の先端に向かって構成される傾斜面２７とより構成される抜止爪２８設ける事により、前記挿通部材１５に前記枠部２１の両側部２３を挿通した後、前記枠部２１の位置を調整する際に、前記抜止爪２８の突当面２６が前記挿通部材１５の外側面に突き当たり、不意に枠部２１が外れてしまう事を防止する効果がある。
【００１８】
又、前記保持部材２の左右一対の立片２２は上方に向けて円弧状に開拡すると共に、前記枠部材２１と一端が一体に構成される左右一対の第一の片３０と、一端が携帯電話機３の側面を保持可能な折曲部３１を有する左右一対の第二の片３２より構成され、左右一対の前記第一の片３０の他端は上方に向けて円弧状に開拡すると共にラチェット歯部３３を構成する。前記第二の片３２の他端には前記ラチェット歯部３３を挿入可能に構成した挿入部材３４と前記ラチェット歯３３と係合する係止部３５を有する事により、前記第二の片３２の一端に形成される折曲部３１の左右間の寸法を携帯電話機３の幅に合わせて自在に調整する事が出来る。尚、前記立片２２は樹脂若しくはバネ材などの薄肉片とする事により可撓性を有し、前記立片２２が常に携帯電話機３を前記本体１の壁部１２に押し付け、確実に固定する事が出来る。又、前記立片２２の携帯電話機３との接触面には、弾性を有するスポンジや、滑り止めシート等を貼り付けても良い。
【００１９】
更に、本発明の車両用携帯電話機保持具の車両への取り付けは、図８に示すように、本体の裏面１７に、エアコン噴出口４のルーバー５を把持するクリップ４０を取り付け、車両のエアコン噴出口４のルーバー５に固定しても良く、図９に示すように、前記本体１の裏面１７に、前記クリップ４０を介して貼付基台４１を取り付け、車両のダッシュボード等６に前記貼付基台４１を貼り付け固定しても良く、図１０に示すように、前記本体１の底面１８に貼付基台４１を取り付け、車両のダッシュボード等６に前記貼付基台４１を貼り付け固定しても良い。
【００２０】
又、前記本体１の受部１１が自動車の椅子の座部を模した形態をなし、前記本体１の壁部１２が自動車の椅子の背もたれ部を模した形態をなし、前記保持部材２が自動車の椅子の安全ベルトを模した形態を有する事により、視覚的喜びを感じ得る物となり、携帯電話機保持具の普及を促進し、安全運転に貢献する。
【実施例２】
【００２１】
尚、図１１に示すように、本体１の両側面１４に配置した挿通部材１５を前記本体１に対して回動可能に軸支し、更に、前記挿通部材１５をバネ等により常に上方に向けて回動する方向に付勢する事により、保持部材２を前記挿通部材１５に挿通した際に、保持部材２の左右一対の立片２２が、常に携帯電話機３を前記本体１の壁部１２に押し付ける方向に回動し、携帯電話機３を確実に固定する事が出来る。
【図面の簡単な説明】
【００２２】
【図１】本発明の第１実施例の斜視図である。
【図２】本発明の第１実施例の側面図である。
【図３】本発明の第１実施例の正面図である。
【図４】図２のＡ−Ａ断面における要部拡大図である。
【図５】図２のＢ−Ｂ断面における要部拡大図である。
【図６】図３のＣ−Ｃ断面における要部拡大図である。
【図７】図３のＰ部分の拡大図である
【図８】本発明の第１実施例の車両のエアコン噴出口への取り付け状態を示す参考図である。
【図９】本発明の第１実施例の車両のダッシュボード等への取り付け状態及び開状態の形態電話機の保持状態を示す参考図である。
【図１０】本発明の第１実施例の車両のダッシュボード等への取り付け状態及び閉状態の形態電話機の保持状態を示す参考図である。
【図１１】本発明の第２実施例の側面図である。
【符号の説明】
【００２３】
１    本体
２    保持部材
３    携帯電話機
４    エアコン噴出口
５    ルーバー
６    ダッシュボード等
１１  受部
１２  壁部
１４  側面
１５  挿通部材
１６  係止部
２１  枠部
２２  立片
２３  側部
２４  ラチェット歯部
２５  端部
２６  突当面
２７  傾斜面
２８  抜止爪
３０  第一の片
３１  折曲部
３２  第二の片
３３  ラチェット歯部
３４  挿入部材
３５  係止部
４０  クリップ
４１  貼付基台
【図１】
2006044353.tif 000003
【図２】
2006044353.tif 000004
【図３】
2006044353.tif 000005
【図４】
2006044353.tif 000006
【図５】
2006044353.tif 000007
【図６】
2006044353.tif 000008
【図７】
2006044353.tif 000009
【図８】
2006044353.tif 000010
【図９】
2006044353.tif 000011
【図１０】
2006044353.tif 000012
【図１１】
2006044353.tif 000013